(57)【特許請求の範囲】
【請求項１】
給水源から供給された湯水を吐水する第一吐水部材と、該第一吐水部材とは異なる位置に配置されて前記湯水を吐水する第二吐水部材と、前記給水源と接続されて前記湯水を前記第一吐水部材または前記第二吐水部材に供給する流路切替部材と、前記第一吐水部材と前記流路切替部材とを接続する第一接続管と、前記給水源と前記流路切替部材とを接続する給水管と、を備えた吐水装置であって、
前記流路切替部材が、壁面に固定されて前記給水管および前記第一接続管と接続される基部と、該基部を内挿して基部と連通すると共に使用者により操作される流路切替部と、前記流路切替部材と前記基部との間に設けられるパッキンと、を備え、
前記基部の外周面から突出する突起が、前記壁面より露出する前記基部の前端部に形成され、
前記流路切替部の内周面から突出し前記突起と係合する係合突起が、前記流路切替部の後方に形成され、
前記流路切替部の係合突起と前記基部の突起とのいずれか一方が、前記流路切替部あるいは前記基部の外周全周に形成され、
前記いずれか一方の突起において、他方の突起を通過させる突起通過溝が形成されており、
前記突起と前記係合突起とが、前記流路切替部材と前記基部によって前記パッキンが押し付けられる位置である所定の使用位置において前記流路切替部を前記基部に対して回転させることで、前記流路切替部を前記基部に対して脱落することを防止することを特徴とする吐水装置。
【請求項２】
さらに、前記第二吐水部材と前記流路切替部材の流路切替部とを接続する第二接続管とを備え、
前記第二吐水部材が、ハンドシャワーであり、
前記流路切替部材が、前記流路切替部を前記使用位置で固定する回転規制部材を備えていることを特徴とする請求項１に記載された吐水装置。
【発明の詳細な説明】
【技術分野】
【０００１】
本発明は、複数の吐水形態を有する吐水装置に関する。
【背景技術】
【０００２】
従来、シャワーからの吐水と浴槽用の吐水栓からの吐水とを切り替える切替弁が知られている（例えば、特許文献１）。
このような切替弁では、配管が接続される基部は壁面の裏側に配置され、使用者が操作する流路切替部は壁面の表側に配置される。
【先行技術文献】
【特許文献】
【０００３】
【特許文献１】米国特許第７０７７１５０号明細書
【発明の概要】
【発明が解決しようとする課題】
【０００４】
上述した吐水弁、当該吐水弁に接続される配管および吐水部材を備えた吐水装置において、流路切替部と基部とを単純に螺合して切替弁を壁面に固定しているため、流路切替部と基部との取り付けが不完全であると、水圧等によって流路切替部が壁面に配置された基部から脱落する恐れがある。
【０００５】
そこで、本発明は、前述したような従来技術の問題を解決するものであって、すなわち、本発明の目的は、流路切替部が基部から落下する可能性を低減する吐水装置を提供することである。
【課題を解決するための手段】
【０００６】
請求項１に係る発明は、給水源から供給された湯水を吐水する第一吐水部材と、該第一吐水部材とは異なる位置に配置されて前記湯水を吐水する第二吐水部材と、前記給水源と接続されて前記湯水を前記第一吐水部材または前記第二吐水部材に供給する流路切替部材と、前記第一吐水部材と前記流路切替部材とを接続する第一接続管と、前記給水源と前記流路切替部材とを接続する給水管と、を備えた吐水装置であって、前記流路切替部材が、壁面に固定されて前記給水管および前記第一接続管と接続される基部と、該基部を内挿して基部と連通すると共に使用者により操作される流路切替部と、前記流路切替部材と前記基部との間に設けられるパッキンと、を備え、前記基部の外周面から突出する突起が、前記壁面より露出する前記基部の前端部に形成され、前記流路切替部の内周面から突出し前記突起と係合する係合突起が、前記流路切替部の後方に形成され、前記流路切替部の係合突起と前記基部の突起とのいずれか一方が、前記流路切替部あるいは前記基部の外周全周に形成され、前記いずれか一方の突起において、他方の突起を通過させる突起通過溝が形成されており、前記突起と前記係合突起とが、前記流路切替部材と前記基部によって前記パッキンが押し付けられる位置である所定の使用位置において前記流路切替部を前記基部に対して回転させることで、前記流路切替部を前記基部に対して脱落することを防止することにより、前述した課題を解決するものである。
このように構成された請求項１に係る発明の吐水装置によれば、流路切替部と基部とを着脱する着脱構造と流路切替部の基部からの脱落を防ぐ脱落防止構造とが、基部と流路切替部との間に形成されていることにより、流路切替部と基部とを着脱自在にしつつも、流路切替部の基部からの脱落を防いでいるため、流路切替部の基部への装着が不完全であっても、流路切替部が基部から落下する可能性を低減することができる。
また、突起と係合突起とが、所定の使用位置で流路切替部の基部への挿入方向で対向することにより、使用位置で流路切替部材を基部への挿入方向と反対の取外方向に移動させると突起と係合突起とが当接するため、流路切替部を使用位置では基部から取り外せなくなり、流路切替部の基部からの脱落を防ぐことができる。
流路切替部の係合突起と基部の突起とのいずれか一方が、流路切替部あるいは基部の外周全周に形成され、いずれか一方の突起において、挿入位置で他方の突起を通過させる突起通過溝が形成されていることにより、挿入位置では流路切替部を基部に挿入することができると共に挿入位置以外では流路切替部を基部に挿入できなくなる、すなわち流路切替部を基部から取り外せなくなるため、流路切替部を挿入位置に移動させないと基部から取り外せなくなり、流路切替部の基部からの脱落を防ぐことができる。
【００１１】
請求項２に係る発明は、請求項１に記載され水栓装置の構成に加えて、さらに、前記第二吐水部材と前記流路切替部材の流路切替部とを接続する第二接続管とを備え、前記第二吐水部材が、ハンドシャワーであり、前記流路切替部材が、前記流路切替部を前記使用位置で固定する回転規制部材を備えていることにより、前述した課題を解決するものである。
このように構成された請求項６に係る発明の吐水装置では、第二吐水部材が使用者の手にするハンドシャワーであるため、使用方法によっては流路切替部が基部に対して回転してしまい、流路切替部が挿入位置に達してしまう恐れがある。
そこで、請求項２に係る発明の吐水装置によれば、請求項１に係る発明が奏する効果に加え、流路切替部材が、流路切替部を使用位置で固定する回転規制部材を備えていることにより、流路切替部が使用位置で固定されて流路切替部の基部に対する回転が抑制されるため、第二吐水部材がハンドシャワーであっても、流路切替部が基部から脱落する可能性を抑制することができる。
【発明の効果】
【００１２】
本発明によれば、流路切替部が基部から落下する可能性を低減する吐水装置を提供することができる。
【図面の簡単な説明】
【００１３】
【図１】本発明の第１実施形態である吐水装置の構成を示す概略構成図。
【図２】図１の流路切替部材の斜視断面図。
【図３】図１の流路切替部材を壁面に取り付けた状態の側面断面図。
【図４】図３の状態から切替弁を動かしてオーバーヘッドシャワーと給水源とを連通させた状態の側面断面図。
【図５】本発明の第１実施形態における流路切替部材の背面斜視図および基部の斜視図。
【図６】本発明の第１実施形態における流路切替部材の基部への組立の概要図。
【図７】本発明の第２実施形態における流路切替部材を壁面に取り付けた状態の側面断面図。
【図８】本発明の第２実施形態における流路切替部材の背面斜視図および基部の斜視図。
【発明を実施するための形態】
【００１４】
＜１．第１実施形態＞
図１乃至図６に基づいて、本発明の第１実施形態である吐水装置１００について説明する。
図１は本発明の第１実施形態である吐水装置の構成を示す概略構成図であり、図２は図１の流路切替部材の斜視断面図であり、図３は図１の流路切替部材を壁面に取り付けた状態の側面断面図であり、図４は図３の状態から切替弁を動かしてオーバーヘッドシャワーと給水源とを連通させた状態の側面断面図であり、図５は本発明の第１実施形態における流路切替部材の背面斜視図および基部の斜視図であり、図６は本発明の第１実施形態における流路切替部材の基部への組立の概要図である。
【００１５】
＜１．１．吐水装置の構成＞
本発明の第１実施形態である吐水装置１００は、主に浴室に設置されるものである。
図１に示すように、吐水装置１００は、給水源Ｓから供給された湯水Ｈを吐水する第一吐水部材であるオーバーヘッドシャワー１１０と、このオーバーヘッドシャワー１１０とは異なる位置に配置されて湯水Ｈを吐水する第二吐水部材であるハンドシャワー１２０とを備えている。
さらに、吐水装置１００は、給水源Ｓと接続されて湯水Ｈをオーバーヘッドシャワー１１０またはハンドシャワー１２０に供給する流路切替部材１３０を備えている。
また、給水源Ｓは開閉機能を有しており、下流側（すなわち吐水装置１００）への湯水Ｈの供給を制御することができる。
【００１６】
次に、吐水装置１００のおおよその流路構成について説明する。
給水源Ｓ、オーバーヘッドシャワー１１０、ハンドシャワー１２０、流路切替部材１３０は、配管１４０によってそれぞれ接続されている。
具体的には、オーバーヘッドシャワー１１０と流路切替部材１３０とは第一接続管１４１で接続されており、ハンドシャワー１２０と流路切替部材１３０とは第二接続管１４２で接続されており、給水源Ｓと流路切替部材１３０とは給水管１４３で接続されている。
【００１７】
＜１．２．流路切替部材の構造＞
次に、図２乃至図４に基づいて、流路切替部材１３０の構造について詳説する。
【００１８】
流路切替部材１３０は、概ね円柱状の部材であり、壁面Ｗに固定される基部Ｂと、基部Ｂを内挿して基部Ｂと連通すると共に使用者により操作される流路切替部Ｃとから構成されている。
【００１９】
＜１．２．１．基部の構造＞
まず、図２および図３に基づいて、基部Ｂの構造について説明する。
基部Ｂは、壁面Ｗの裏側に取り付けられる円盤状の配管接続基材１３１と、この配管接続基材１３１に嵌挿される環状パッキンＰ１と、壁面Ｗより露出し概ね円環状の壁固定部材１３２とを備えている。
【００２０】
配管接続基材１３１は、壁面Ｗへ固定した際に壁面Ｗの裏側と接触する円盤状のフランジ部１３１ａと、このフランジ部１３１ａから背面（壁面Ｗの裏側方向）に突出する概ねＴ字状の流路部１３１ｂと、フランジ部１３１ａの中央から前面（壁面Ｗの表側方向）に向けて突出する円筒状の壁面挿入部１３１ｃと、この壁面挿入部１３１ｃの先端から前面に更に突出する突出部１３１ｄとを備えている。
【００２１】
フランジ部１３１ａには雌ねじの形成された被締結孔１３１ｅが複数形成されている。
流路部１３１ｂには、第一接続管１４１と連通する流出孔１３１ｆが水平方向に２つ形成されており（図２参照）、これら２つの流出孔１３１ｆは対向する位置に配置されている。
さらに、流路部１３１ｂには、給水源Ｓから延びる給水管１４３と連通する流入孔１３１ｇが鉛直方向に形成されている。
壁面挿入部１３１ｃは、壁面Ｗに形成された開口Ｗｈの内径とほぼ等しい外径（開口Ｗｈと壁面挿入部１３１ｃとが嵌合できる程度）を有しており、開口Ｗｈに挿入される。
突出部１３１ｄは、前述のように壁面挿入部１３１ｃの先端から前面に突出しており、壁面Ｗよりも前方に突出している。
【００２２】
環状パッキンＰ１は、壁固定部材１３２と壁面Ｗとの間を密閉するものであり、その内径は壁面Ｗの開口Ｗｈの直径より大きい。
【００２３】
壁固定部材１３２は概ね円環柱状の部材であり、その内径は配管接続基材１３１の突出部１３１ｄの外径とほぼ等しく（壁固定部材１３２と配管接続基材１３１の突出部１３１ｄとが嵌合できる程度）なっている。
【００２４】
また壁固定部材１３２の開口両端にはそれぞれ円形のフランジ（前端フランジ１３２ａ、後端フランジ１３２ｂ）が形成されている。
前端フランジ（突起）１３２ａは壁固定部材１３２の外周面から突出しており、後端フランジ１３２ｂよりも直径が小さい。
また、前端フランジ１３２ａの外周端には雄ネジが形成されている。
【００２５】
後端フランジ１３２ｂは、基部Ｂを壁面Ｗに取り付けた際に環状パッキンＰ１と当接する。
また、後端フランジ１３２ｂには締結ボルトＢＯ（図５参照）を貫通する貫通孔１３２ｃが複数形成されている。
【００２６】
ここで、上述のように構成された基部Ｂを壁面Ｗへ固定手順を説明する。
まず、配管接続基材１３１の壁面挿入部１３１ｃおよび突出部１３１ｄを壁面Ｗに予め形成しておいた開口Ｗｈに壁面Ｗの裏側から挿入する。
そして、壁面Ｗの表側から、配管接続基材１３１の突出部１３１ｄに環状パッキンＰ１および壁固定部材１３２を、この順番で嵌挿する。
そして、締結ボルトＢＯを貫通孔１３２ｃに通して、配管接続基材１３１のフランジ部１３１ａに形成された被締結孔１３１ｅに螺合させる。
締結ボルトＢＯを被締結孔１３１ｅに締結させることで、壁面Ｗが基部Ｂで挟持されるため、基部Ｂが壁面Ｗに固定される。
【００２７】
＜１．２．２．流路切替部の構造＞
続いて、流路切替部Ｃの構造について説明する。
流路切替部Ｃは、壁面Ｗの表側に取り付けられる概ね円柱状の切替本体部材１３３と、切替本体部材１３３の前方（壁面Ｗの表側）に配置される操作ハンドル１３４とから形成されている。
【００２８】
切替本体部材１３３は、後端側（後方）に形成された概ね円盤状のフランジ部１３３ａが壁固定部材１３２と結合することで壁面Ｗに固定される。
フランジ部１３３ａの後端側には円柱状の開口が形成されており、フランジ部１３３ａの内周面からこの開口に向けて突出する係合部（係合突起）１３３ｂがフランジ部１３３ａの後端側に形成された開口の全周にわたって形成されている。
この係合部１３３ｂには雌ネジが設けられており、前述の壁固定部材１３２の前端フランジ１３２ａの外周端に形成された雄ネジと螺合する。
【００２９】
なお、切替本体部材１３３と壁固定部材１３２との間からの漏水を防ぐために、切替本体部材１３３と壁固定部材１３２との間には環状パッキンＰ２が挟み込まれている。
【００３０】
また、切替本体部材１３３の長手方向の中心には切替本体部材１３３を貫通する開口空間ＣＳが形成されており、この開口空間ＣＳ内には様々な機能部品が収容される。
さらに、この開口空間ＣＳは、切替本体部材１３３の後端から長手方向中央付近まで延びる仕切り壁１３３ｃにより概ね二重構造となっている。
すなわち、開口空間ＣＳは、切替本体部材１３３の前端から長手方向中央付近までは概ね円柱状の空間ＣＳ１と、切替本体部材１３３の長手方向中央付近から後端までは切替本体部材１３３と仕切り壁１３３ｃにより外周空間ＣＳ２および内周空間ＣＳ３とからなる二重構造の空間と、で形成されている。
【００３１】
概ね円柱状の空間ＣＳ１は、更に、切替本体部材１３３の底面側から上方に延びるハンドシャワー連通孔１３３ｄと連通している。
ハンドシャワー連通孔１３３ｄは、ハンドシャワー１２０に接続される第二接続管１４２と連通している。
【００３２】
内周空間ＣＳ３は、更に、仕切り壁１３３ｃに形成され切替本体部材１３３の底面側から上方に延びる通気孔１３３ｅと連通している。
この通気孔１３３ｅには、空気流入弁（水密破壊用逆止弁）１３５および空気流入弁抑え１３６が設けられている。
また、内周空間ＣＳ３の後端部には流路切替部材１３０の下流側へ供給される流量を絞る流量絞り部材である逆止弁１３７および逆止弁抑え１３８が設けられている。
【００３３】
次に操作ハンドル１３４について説明する。
操作ハンドル１３４は、使用者が把持するハンドル本体１３４ａと、ハンドル本体１３４ａに取り付けられた円柱状の軸１３４ｂと、この軸１３４ｂに取付られて切替本体部材１３３と係合して切替本体部材１３３の長手方向を密閉する封止部材１３４ｃと、軸１３４ｂの先端に取り付けられて仕切り壁１３３ｃの前端側の弁座１３３ｆ（図４参照）と当接する概ね円環状の切替弁１３４ｄとを備えている。
さらに、軸１３４ｂの封止部材１３４ｃと切替弁１３４ｄとの間には、切替弁付勢機構である付勢バネ１３４ｅが挿入されている。
【００３４】
切替弁１３４ｄは、弁座１３３ｆだけでなく、封止部材１３４ｃの後端に設けられた弁座１３４ｆにも当接する。
すなわち、切替弁１３４ｄは、操作ハンドル１３４の切替に応じて、切替本体部材１３３の弁座１３３ｆと封止部材１３４ｃの弁座１３４ｆとの間を移動する。
【００３５】
＜１．２．３．流路切替部材の流路構成＞
続いて、流路切替部材１３０の流路について、図３および図４を用いて説明する。
まず、内周空間ＣＳ３と配管接続基材１３１の流出孔１３１ｆとを連通し、第一接続管１４１と連通する流路を第一内部流路Ｌ１とする。
また、空間ＣＳ１と切替本体部材１３３のハンドシャワー連通孔１３３ｄとを連通し、第二接続管１４２と連通する流路を第二内部流路Ｌ２とする。
また、切替本体部材１３３の外周空間ＣＳ２と配管接続基材１３１の流入孔１３１ｇとを連通し、給水管１４３と連通する流路を供給流路Ｌ３とする。
【００３６】
このように構成された流路切替部材１３０の流路において、図４のように、操作ハンドル１３４を操作して切替弁１３４ｄを弁座１３３ｆから離間させて弁座１３４ｆと当接させることで、供給流路Ｌ３と第一内部流路Ｌ１とが接続され、供給流路Ｌ３から第一接続管１４１に渡る第一流路が形成される。
また、図３のように、操作ハンドル１３４を操作して切替弁１３４ｄを弁座１３４ｆから離間させて弁座１３３ｆに当接させることで、供給流路Ｌ３と第二内部流路Ｌ２とが接続され、供給流路Ｌ３から第二接続管１４２に渡る第二流路が形成される。
【００３７】
＜１．３．切替本体部材の壁固定部材への固定手順＞
続いて、図２、図３、図５および図６を用いて切替本体部材１３３の壁固定部材１３２への固定手順について説明する。
図５に示すように、壁固定部材１３２により配管接続基材１３１が壁面Ｗに固定された状態（すなわち、基部Ｂが壁面Ｗに固定された状態）で、壁固定部材１３２の前端フランジ１３２ａに切替本体部材１３３のフランジ部１３３ａを外挿する。
そして、壁固定部材１３２の前端フランジ１３２ａの外周端に形成された雄ネジと切替本体部材１３３のフランジ部１３３ａにおける係合部１３３ｂの外周端に形成された雌ネジとを螺合させて、切替本体部材１３３のフランジ部１３３ａを螺進させる。
【００３８】
切替本体部材１３３のフランジ部１３３ａが壁固定部材１３２の前端フランジ１３２ａに形成されたネジ長さだけ螺入されると、切替本体部材１３３の係合部１３３ｂが壁固定部材１３２の前端フランジ１３２ａと後端フランジ１３２ｂとの間の任意の位置に配置される。
なお、切替本体部材１３３を壁固定部材１３２から取り外すときは、壁固定部材１３２の前端フランジ１３２ａの外周端に形成された雄ネジと切替本体部材１３３のフランジ部１３３ａにおける係合部１３３ｂの外周端に形成された雌ネジとを螺合させた後、取り付け時と逆方向に切替本体部材１３３を螺進させればよい。
このようにすることで、流路切替部Ｃと基部Ｂとの間に流路切替部Ｃの着脱構造が形成される。
【００３９】
そして、切替本体部材１３３の係合部１３３ｂが壁固定部材１３２の前端フランジ１３２ａと後端フランジ１３２ｂとの間の任意の位置に配置されているときは、壁固定部材１３２の前端フランジ１３２ａの外周端に形成された雄ネジと切替本体部材１３３のフランジ部１３３ａにおける係合部１３３ｂの外周端に形成された雌ネジとを螺合させた後、切替本体部材１３３を取り付け時と逆方向に螺進させなければ、切替本体部材１３３を壁固定部材１３２から取り外すことができない。
したがって、切替本体部材１３３のフランジ部１３３ａにおける係合部１３３ｂの外周端に形成された雌ネジと壁固定部材１３２の前端フランジ１３２ａに形成された雄ネジとが切替本体部材１３３の脱落防止構造となり、重量物である切替本体部材１３３が床に落下することを防ぐことができる。
【００４０】
次に、切替本体部材１３３と壁固定部材１３２との間の環状パッキンＰ２が十分に密封性能を発揮する程度に切替本体部材１３３を環状パッキンＰ２に押し付けると共に図３等で示すような位置、換言するとハンドシャワー連通孔１３３ｄが鉛直下向きに伸びる位置に切替本体部材１３３を配置する（この位置を本実施形態において「使用位置」という）。
この状態で、図６に示すように、フランジ部１３３ａの正面視側方から止めネジ１３９（図２参照）を挿入して、止めネジ１３９と壁固定部材１３２とを当接させる。
これにより、止めネジ１３９は流路切替部Ｃを使用位置で基部Ｂに固定する回転規制部材として機能する。
また、止めネジ１３９によって、切替本体部材１３３が使用位置に固定された状態では、切替本体部材１３３の係合部１３３ｂ（すなわち、流路切替部Ｃの突起）と壁固定部材１３２の前端フランジ１３２ａ（すなわち、基部Ｂの係合突起）とが、流路切替部Ｃの基部Ｂへの挿入方向（流路切替部材１３０の長手方向）で対向する。
【００４１】
＜１．４．動作＞
続いて、このように構成された吐水装置１００の動作について説明する。
＜１．４．１．止水時＞
まず、給水源Ｓから湯水Ｈが供給されない止水時について説明する。
このとき、切替弁１３４ｄには、付勢バネ１３４ｅの付勢力と、切替弁１３４ｄと逆止弁１３７との間の湯水の水圧とが作用する。
ここで、付勢バネ１３４ｅの付勢力が切替弁１３４ｄと逆止弁１３７との間の湯水の水圧より大きくなるように設定されている。
したがって、止水時においては、図３のように切替弁１３４ｄは弁座１３３ｆに当接し、第一流路中の水が第二流路に流れることがない。
【００４２】
＜１．４．２．ハンドシャワーからの吐水＞
次に、給水源Ｓから湯水Ｈが供給されている状態において、使用者が操作ハンドル１３４を操作しない場合について説明する。
このとき、切替弁１３４ｄには、付勢バネ１３４ｅの付勢力および第二内部流路Ｌ２内の水圧と、切替弁１３４ｄと逆止弁１３７との間の湯水の水圧とが作用する。
したがって、給水源Ｓから湯水が供給されている状態において、使用者が操作ハンドル１３４を操作しない場合でも、切替弁１３４ｄは弁座１３３ｆに当接し、供給流路Ｌ３と第二内部流路Ｌ２とが接続される。
よって、供給流路Ｌ３から第二接続管１４２に渡る第二流路が形成され、ハンドシャワー１２０から吐水がされる。
このとき、切替弁１３４ｄが弁座１３３ｆに当接しているので、第一流路中の湯水が第二流路に流れることはない。
【００４３】
＜１．４．３．オーバーヘッドシャワーからの吐水＞
次に、給水源Ｓから湯水Ｈが供給されている状態において、使用者が操作ハンドル１３４を引いた場合について説明する。
このとき、使用者の操作力により、切替弁１３４ｄが切替本体部材１３３の弁座１３３ｆから離間し、封止部材１３４ｃの弁座１３４ｆと当接する。
そして、この状態で使用者が操作ハンドル１３４から手を離すと、切替弁１３４ｄには、付勢バネ１３４ｅの付勢力と、第一流路中の水圧とが作用する。
ここで、付勢バネ１３４ｅの付勢力が、第一流路中の水圧より大きくなるように設定されている。
したがって、給水源Ｓから湯水Ｈが供給されている状態において、使用者が操作ハンドル１３４を操作引くと、切替弁１３４ｄは封止部材１３４ｃの弁座１３４ｆに当接し、供給流路Ｌ３と第一内部流路Ｌ１とが接続される。
よって、供給流路Ｌ３から第一接続管１４１に渡る第一流路が形成され、オーバーヘッドシャワー１１０から吐水がされる。
【００４４】
＜１．５．作用効果＞
このようにして得られた本発明の第１実施形態である吐水装置１００は、流路切替部Ｃと基部Ｂとを着脱する着脱構造と流路切替部Ｃの基部Ｂからの脱落を防ぐ脱落防止構造とが、基部Ｂと流路切替部Ｃとの間に形成されていることにより、流路切替部Ｃと基部Ｂとを着脱自在にしつつも、流路切替部Ｃの基部Ｂからの脱落を防いでいるため、流路切替部Ｃの基部Ｂへの装着が不完全であっても、流路切替部Ｃが基部Ｂから落下する可能性を低減することができる。
【００４５】
また、突起である前端フランジ１３２ａと係合突起である係合部１３３ｂとが、所定の使用位置で流路切替部Ｃの基部Ｂへの挿入方向で対向することにより、使用位置で流路切替部材１３０を基部Ｂへの挿入方向と反対の取外方向に移動させると前端フランジ１３２ａと係合部１３３ｂとが当接するため、流路切替部Ｃを使用位置では基部Ｂから取り外せなくなり、流路切替部Ｃの基部Ｂからの脱落を防ぐことができる。
【００４６】
さらに、流路切替部Ｃの係合部１３３ｂが、基部Ｂの前端フランジ１３２ａに向かって突出し、流路切替部Ｃの係合部１３３ｂと基部Ｂの前端フランジ１３２ａとが、流路切替部Ｃを基部Ｂに取り付ける際に螺合することにより、挿入位置でも螺進させないと流路切替部Ｃを基部Ｂから取り外せないため、挿入位置であっても流路切替部Ｃが基部Ｂから簡単に脱落することを抑制することができる。
【００４７】
また、流路切替部材１３０が、流路切替部Ｃを所要の使用位置で固定する回転規制部材である止めネジ１３９を備えていることにより、流路切替部Ｃが使用位置で固定されて流路切替部Ｃの基部Ｂに対する回転が抑制されるため、第二吐水部材がハンドシャワー１２０であっても、流路切替部Ｃが基部Ｂから脱落する可能性を抑制することができる。
【００４８】
＜２．第二実施形態＞
続いて、図７および図８により、本発明の第２実施形態である吐水装置２００について説明する。
図７は、本発明の第２実施形態における流路切替部材を壁面に取り付けた状態の側面断面図であり、図８は本発明の第２実施形態における流路切替部材の背面斜視図および基部の斜視図である。
【００４９】
＜２．１．構成＞
第２実施形態の吐水装置２００は、第１実施形態の吐水装置１００の流路切替部材１３０の壁固定部材１３２および切替本体部材１３３の構造を変更したものであり、多くの要素について第１実施形態の吐水装置１００と共通するので、共通する事項については詳しい説明を省略し、下２桁が共通する２００番台の符号を付すのみとする。
【００５０】
まず、壁固定部材２３２について説明する。
壁固定部材２３２には、開口両端にはそれぞれ円形のフランジ（前端フランジ２３２ａ、後端フランジ２３２ｂ）が形成されている。
前端フランジ（突起）２３２ａは壁固定部材２３２の外周面から突出しており、後端フランジ２３２ｂよりも直径が小さい。
これにより、流路切替部Ｃを基部Ｂに取り付けた際に、後端フランジ２３２ｂは後述する切替本体部材２３３と当接する。
【００５１】
前端フランジ２３２ａの下端には正面視で矩形の突起通過溝２３２ｄが形成されており、突起通過溝２３２ｄは前端フランジ２３２ａを貫通している。
なお、突起通過溝２３２ｄの位置は前端フランジ２３２ａに形成されていれば、下端以外の場所であってもよい。
【００５２】
後端フランジ２３２ｂは、基部Ｂを壁面Ｗに取り付けた際に環状パッキンＰ１と当接する。
また、後端フランジ２３２ｂには締結ボルトＢＯ（図８では図示されない）を貫通する貫通孔２３２ｃが複数形成されている。
【００５３】
次いで切替本体部材２３３について説明するが、多くの要素について第１実施形態の切替本体部材１３３と共通するので、共通する事項については詳しい説明を省略する。
切替本体部材２３３は、後端側（後方）に形成された概ね円盤状のフランジ部２３３ａが壁固定部材２３２と結合することで壁面Ｗに固定される。
フランジ部２３３ａの後端側には円柱状の開口が形成されており、フランジ部２３３ａの内周面からこの開口に向けて突出する係合部（係合突起）２３３ｂが形成されている。
【００５４】
係合部２３３ｂは、切替本体部材２３３の正面視中央より上方の頂部に形成されており、ハンドシャワー連通孔２３３ｄとは切替本体部材２３３の長手方向の中心軸に対して対向している。
係合部２３３ｂの幅（正面視左右方向の長さ）は、壁固定部材２３２の突起通過溝２３２ｄの幅（正面視左右方向の長さ）よりも小さく形成されている。
すなわち、切替本体部材２３３の係合部２３３ｂは、壁固定部材２３２の突起通過溝２３２ｄを通過自在である。
なお、本実施形態においては、係合部２３３ｂは１つのみであるが、複数個存在してもよい。
さらに、係合部２３３ｂの位置は、本実施形態の位置が最も好ましいが、フランジ部２３３ａの内周面から突出していれば、如何なる位置であってもよい。
【００５５】
また、本実施形態においては、壁固定部材２３２の突起（前端フランジ２３２ａ）が壁固定部材２３２（すなわち、基部Ｂ）の外周全周に形成されると共にこの突起上に切替本体部材２３３の係合突起（係合部２３３ｂ）の通過する突起通過溝２３２ｄが形成されている。
しかしながら、切替本体部材２３３の係合突起（係合部２３３ｂ）が切替本体部材２３３（すなわち、流路切替部Ｃ）の外周全周に形成されると共にこの係合突起上に壁固定部材２３２の突起（前端フランジ２３２ａ）が通過する突起通過溝を形成してもよい。
【００５６】
＜２．２．切替本体部材の壁固定部材への固定手順＞
続いて、図７および図８を用いて切替本体部材２３３の壁固定部材２３２への固定手順について説明する。
図８に示すように、壁固定部材２３２が壁面Ｗに固定された状態（すなわち、基部Ｂが壁面Ｗに固定された状態）で、切替本体部材２３３の係合部２３３ｂが壁固定部材２３２の前端フランジ２３２ａにおける突起通過溝２３２ｄを通過できる位置（以下、「挿入位置」という。）に切替本体部材２３３を配置する。
本実施形態における「挿入位置」とは、切替本体部材２３３のハンドシャワー連通孔２３３ｄに挿入された円筒状のホース継手２３４ｇが鉛直上向きを成す位置、換言すると係合部２３３ｂが切替本体部材２３３の下端に位置する位置を意味する。
【００５７】
切替本体部材２３３を挿入位置に配置することで、切替本体部材２３３の係合部２３３ｂが壁固定部材２３２の前端フランジ２３２ａにおける突起通過溝２３２ｄを通過できるため、切替本体部材２３３を壁固定部材２３２に挿入及び抜去することができる。
したがって、切替本体部材２３３の係合部２３３ｂおよび壁固定部材２３２の突起通過溝２３２ｄによって、流路切替部Ｃと基部Ｂとの間に流路切替部Ｃの着脱構造が形成される。
【００５８】
切替本体部材２３３を壁固定部材２３２に挿入した後、使用位置まで切替本体部材２３３を回転させる。
本実施形態における「使用位置」とは、図７で示すような切替本体部材２３３の位置、換言するとホース継手２３４ｇを鉛直下向きに伸びる位置を意味する。
すなわち、挿入位置は、使用位置と前記流路切替部材の長手方向の中心軸に対して対向している。
【００５９】
使用位置まで切替本体部材２３３を回転させることで、切替本体部材２３３の係合部２３３ｂが壁固定部材２３２の前端フランジ２３２ａと後端フランジ２３２ｂとの間の任意の位置に配置され、切替本体部材２３３を挿入位置まで回転させなければ、切替本体部材２３３が壁固定部材２３２から脱落しない。
したがって、切替本体部材２３３のフランジ部２３３ａにおける係合部２３３ｂと壁固定部材２３２の前端フランジ２３２ａが切替本体部材２３３の脱落防止構造となり、重量物である切替本体部材２３３が床に落下することを防ぐことができる。
【００６０】
次に、切替本体部材２３３と壁固定部材２３２との間の環状パッキンＰ２が十分に密封性能を発揮する程度に、切替本体部材２３３を環状パッキンＰ２に押し付ける。
この状態で、フランジ部２３３ａの正面視側方から止めネジを挿入して、止めネジと壁固定部材２３２とを当接させる。
これにより、止めネジ２３９は流路切替部Ｃを所要の使用位置で基部Ｂに固定する回転規制部材として機能する。
【００６１】
＜２．３．作用効果＞
このようにして得られた本発明の第２実施形態である吐水装置２００は、流路切替部Ｃと基部Ｂとを着脱する着脱構造と流路切替部Ｃの基部Ｂからの脱落を防ぐ脱落防止構造とが、基部Ｂと流路切替部Ｃとの間に形成されていることにより、流路切替部Ｃと基部Ｂとを着脱自在にしつつも、流路切替部Ｃの基部Ｂからの脱落を防いでいるため、流路切替部Ｃの基部Ｂへの装着が不完全であっても、流路切替部Ｃが基部Ｂから落下する可能性を低減することができる。
【００６２】
また、突起である前端フランジ２３２ａと係合突起である係合部２３３ｂとが、所定の使用位置で流路切替部Ｃの基部Ｂへの挿入方向で対向することにより、使用位置で流路切替部材２３０を基部Ｂへの挿入方向と反対の取外方向に移動させると前端フランジ２３２ａと係合部２３３ｂとが当接するため、流路切替部Ｃを使用位置では基部Ｂから取り外せなくなり、流路切替部Ｃの基部Ｂからの脱落を防ぐことができる。
【００６３】
また、流路切替部Ｃの係合部２３３ｂと基部Ｂの前端フランジ２３２ａとのいずれか一方が、流路切替部Ｃあるいは基部Ｂの外周全周に形成され、前端フランジ２３２ａにおいて、挿入位置で他方の突起を通過させる突起通過溝２３２ｄが形成されていることにより、挿入位置では流路切替部Ｃを基部Ｂに挿入することができると共に挿入位置以外では流路切替部Ｃを基部Ｂに挿入できなくなる、すなわち流路切替部Ｃを基部Ｂから取り外せなくなるため、流路切替部Ｃを挿入位置に移動させないと基部Ｂから取り外せなくなり、流路切替部Ｃの基部Ｂからの脱落を防ぐことができる。
【００６４】
さらに、挿入位置と使用位置とが、流路切替部材２３０の長手方向の中心軸に対して対向していることにより、挿入位置が使用位置と離れているため、仮に止めネジ２３９による流路切替部材２３０の固定が解除されたとしても、流路切替部Ｃが基部Ｂから脱落する可能性を減らすことができる。
【００６５】
また、流路切替部材２３０が、流路切替部Ｃを使用位置で固定する回転規制部材である止めネジ２３９を備えていることにより、流路切替部Ｃが使用位置で固定されて流路切替部Ｃの基部Ｂに対する回転が抑制されるため、第二吐水部材がハンドシャワー２２０であっても、流路切替部Ｃが基部Ｂから脱落する可能性を抑制することができる。
【００６６】
＜３．変形例＞
以上、本発明を実施するための形態について説明したが、本発明は上記に限定されるものではない。
【００６７】
例えば、本発明を実施するための形態では、吐水装置がオーバーヘッドシャワーとハンドシャワーとを備えていたが、更にカランを備えるものであってもよい。
【００６８】
また、第一吐水部材であるオーバーヘッドシャワーは、壁面に固定されており、かつ、使用者の頭上に湯水を降り注がせるものであれば、如何なるものであってもよく、浴室の天井に取り付けられて使用者に向かって吐水するものであってもよいし、浴室の立壁面から突出して使用者の頭上に向かって吐水するものであってもよい。
【００６９】
また、第二吐水部材であるハンドシャワーは、使用者が把持して使用するものであれば、形状や吐水形態は如何なるものであってもよい。
【００７０】
また、前述した実施形態が備える各要素は技術的に可能である限り組み合わせることができ、これらを組み合わせたものも本発明の特徴を含む限り本発明の範囲に包含される。
【符号の説明】
【００７１】
１００    ・・・  吐水装置
１１０    ・・・  オーバーヘッドシャワー（第一吐水部材）
１２０    ・・・  ハンドシャワー（第二吐水部材）
１３０    ・・・  流路切替部材
１３１    ・・・  配管接続基材
１３１ａ  ・・・  フランジ部
１３１ｂ  ・・・  流路部
１３１ｃ  ・・・  壁面挿入部
１３１ｄ  ・・・  突出部
１３１ｅ  ・・・  被締結孔
１３１ｆ  ・・・  流出孔
１３１ｇ  ・・・  流入孔
１３２    ・・・  壁固定部材
１３２ａ  ・・・  前端フランジ（突起）
１３２ｂ  ・・・  後端フランジ
１３２ｃ  ・・・  貫通孔
１３３    ・・・  切替本体部材
１３３ａ  ・・・  フランジ部
１３３ｂ  ・・・  係合部（係合突起）
１３３ｃ  ・・・  仕切り壁
１３３ｄ  ・・・  ハンドシャワー連通孔
１３３ｅ  ・・・  通気孔
１３３ｆ  ・・・  弁座
１３４    ・・・  操作ハンドル
１３４ａ  ・・・  ハンドル本体
１３４ｂ  ・・・  軸
１３４ｃ  ・・・  封止部材
１３４ｄ  ・・・  切替弁
１３４ｅ  ・・・  付勢バネ（切替弁付勢機構）
１３４ｆ  ・・・  弁座
１３５    ・・・  空気流入弁（水密破壊用逆止弁）
１３６    ・・・  空気流入弁抑え
１３７    ・・・  流量絞り部材（逆止弁）
１３８    ・・・  逆止弁抑え
１３９    ・・・  止めネジ（回転規制部材）
１４０    ・・・  配管
１４１    ・・・  第一接続管
１４２    ・・・  第二接続管
１４３    ・・・  給水管
１５０    ・・・  排水ユニット
２００    ・・・  吐水装置
２２０    ・・・  ハンドシャワー
２３０    ・・・  流路切替部材
２３２    ・・・  壁固定部材
２３２ａ  ・・・  前端フランジ（突起）
２３２ｂ  ・・・  後端フランジ
２３２ｃ  ・・・  貫通孔
２３２ｄ  ・・・  突起通過溝
２３３    ・・・  切替本体部材
２３３ａ  ・・・  フランジ部
２３３ｂ  ・・・  係合部（係合突起）
２３９    ・・・  止めネジ（回転規制部材）
Ｂ      ・・・  基部
Ｃ      ・・・  流路切替部
ＣＳ    ・・・  開口空間
ＣＳ１  ・・・  空間
ＣＳ２  ・・・  外周空間
ＣＳ３  ・・・  内周空間
Ｌ１    ・・・  第一内部流路
Ｌ２    ・・・  第二内部流路
Ｌ３    ・・・  供給流路
ＢＯ    ・・・  締結ボルト
Ｈ      ・・・  湯水
Ｓ      ・・・  給水源
Ｐ１    ・・・  環状パッキン
Ｐ２    ・・・  環状パッキン
Ｗ      ・・・  壁面
Ｗｈ    ・・・  開口
【図１】
0006611075.tif 000002
【図２】
0006611075.tif 000003
【図３】
0006611075.tif 000004
【図４】
0006611075.tif 000005
【図５】
0006611075.tif 000006
【図６】
0006611075.tif 000007
【図７】
0006611075.tif 000008
【図８】
0006611075.tif 000009